(57)【特許請求の範囲】
【請求項１】
袋体（１）と、この袋体（１）の内部に収容された口部開閉手段（２）とからなり、前記口部開閉手段（２）は、前記袋体（１）の内部の両側辺及び底辺に沿うように略コの字形に形成された棒状体であって、
前記両側辺に沿った平行部（８、８）が下端を支点として拡開しようとする弾発性を有する合成樹脂製の弾発部材（５）と、前記袋体（１）の上端に沿って設けられ、両端がそれぞれ前記弾発部材（５）の平行部（８、８）の上端に枢着されるとともに外面が前記袋体（１）の内面に接着され、互いに重なり合った前後一対の合成樹脂製の板バネ（６、７）と、からなり、
前記平行部（８、８）の上端には、前記板バネ（６、７）の端部を枢着するための縮径部（８ａ）が形成され、該縮径部（８ａ）の長さは前記板バネ（６、７）の縦幅に等しくなっており、
前記板バネ（６、７）の両側を内方に押圧すると、前記板バネ（６、７）がそれぞれ外方に湾曲して前記袋体（１）の口部が開き、押圧力を解除すると、前記板バネ（６、７）が元の状態に戻って前記口部が閉じるようにしたことを特徴とするワンタッチ開閉式包装用袋。
【請求項２】
前記板バネ（６、７）の縦断面形状が、外方に突出した円弧状であることを特徴とする請求項１に記載のワンタッチ開閉式包装用袋。
【発明の詳細な説明】
【０００１】
【発明の属する技術分野】
本発明は、食品や薬品等を包装するための包装用袋に関するものであり、更に詳しくは、口部を容易に開閉できるようにした包装用袋に関するものである。
【０００２】
【従来の技術】
食品や薬品を包装するための包装袋として、袋体の上端に沿ってジッパーを設け、該ジッパーによって口部を閉じるようにしたものが知られている。
【０００３】
【発明が解決しようとする課題】
上述した従来の包装用袋は、口部を閉じる際に、ジッパーの部分を全長にわたって指で押さえてジッパーの凸条と溝を係合させなければならないため、口部を閉じるのに非常に手間がかかるという問題があった。また、口部を開く際には、袋体の前面部の上端と後面部の上端を互いに背反する方向に引っ張るようになっており、両手を必要とするため、口部を開くのも決して容易であるとはいえない。
【０００４】
本発明は、上述した問題点を解決するためになされたものであって、その目的は、食品や薬品を包装するための包装用袋であって、口部を容易に開閉できるようにしたものを提供することにある。
【０００５】
【課題を解決するための手段】
上述した目的を達成するために、本発明の包装用袋は、図１、２に示すように、袋体（１）と、この袋体（１）の内部に収容された口部開閉手段（２）とからなり、前記口部開閉手段（２）は、前記袋体（１）の内部の両側辺及び底辺に沿うように略コの字形に形成された棒状体であって、前記両側辺に沿った平行部（８、８）が下端を支点として拡開しようとする弾発性を有する合成樹脂製の弾発部材（５）と、前記袋体（１）の上端に沿って設けられ、両端がそれぞれ前記弾発部材（５）の平行部（８、８）の上端に枢着されるとともに外面が前記袋体（１）の内面に接着され、互いに重なり合った前後一対の合成樹脂製の板バネ（６、７）と、からなり、前記平行部（８、８）の上端には、前記板バネ（６、７）の端部を枢着するための縮径部（８ａ）が形成され、該縮径部（８ａ）の長さは前記板バネ（６、７）の縦幅に等しくなっており、
前記板バネ（６、７）の両側を内方に押圧すると、前記板バネ（６、７）がそれぞれ外方に湾曲して前記袋体（１）の口部が開き、押圧力を解除すると、前記板バネ（６、７）が元の状態に戻って前記口部が閉じるようにしたことを特徴とするものである。
【０００６】
なお、前記板バネ（６、７）の縦断面形状が、外方に突出した円弧状である場合には、前記板バネ（６、７）が外方に湾曲しやすくなるので、より開閉し易くなる。
【０００７】
【発明の実施の形態】
以下、本発明の具体的な実施形態を図面を参照しながら説明する。
図１は本発明の一実施形態である包装用袋の一部破断斜視図、図２は口部開閉手段の分解斜視図、図３は図２のＡ−Ａ線矢視図、図４は図１の包装用袋の使用態様を示す斜視図である。
この包装用袋はアメ等の防湿性を必要とする食品を包装するためのもので、矩形の袋体１と、袋体１の内部に収容された口部開閉手段２とを備えている。
【０００８】
袋体１は非透湿性を有する複合材によって形成されている。複合材は、ポリエチレンフィルムとアルミニウム箔を接着剤によりドライラミネートし、アルミニウム箔上に一軸延伸ＰＥＴフィルムを接着剤によりドライラミネートしたもので、この複合材を、ポリエチレンフィルムが内面となるように二つ折りし、底部及び両側部の三方をヒートシールして袋体１を形成し、袋体１の内部に口部開閉手段２と被包装物を収容した後、袋体１の口部をヒートシールする。３Ａ〜３Ｃはヒートシール部であり、４は袋体１を開封する際に始端となるノッチである。袋体１は前記一軸延伸ＰＥＴフィルムの作用により水平方向に引き裂き易くなっており、袋体１の上端のヒートシール部３Ａの左端を右方向に引っ張ると、ノッチ４の部分が破断してヒートシール部３Ａが切り取られ、袋体１が開封される。なお、ノッチ４に代えて、袋体２の側端部の表面に傷痕を設け、ヒートシール部３Ａの左端を右方向に引っ張った際に、この傷痕によって袋体１の縁が破断するようにしても良い。
【０００９】
口部開閉手段２は、袋体１の内部の両側辺及び底辺に沿うように略コの字形に形成された棒状の弾発部材５と、袋体２の上端に沿って設けられた前後一対の板バネ６、７とからなっている。
【００１０】
弾発部材５はポリプロピレンやポリカーボネート等の可撓性を有する合成樹脂からなり、袋体２内部の両側辺に沿った一対の平行部８、８と、該平行部８、８の下端を互いに連結する連結部９とを有している。図２に示すように、平行部８、８の上端には、板バネ６、７の端部を枢着するための断面円形の縮径部８ａが形成されており、縮径部８ａの長さは板バネ６、７の縦幅に等しくなっている。弾発部材５は、自然状態で平行部８、８が拡開した状態に形成されており、縮径部８ａ、８ａに板バネ６、７を取り付けることによりコの字形になり、平行部８、８が下端を支点として拡開しようとする弾発性を有するようになる。
【００１１】
板バネ６はポリプロピレン等の可撓性を有する合成樹脂からなり、長方形の基部６ａと、基部６ａの両端に形成された垂直方向にのびる円筒状の軸受部６ｂ、６ｂとを有している。基部６ａの縦断面形状は、図３に示すように、外方に突出した円弧状になっている。軸受部６ｂ、６ｂは、基部６ａの両側面の上半分に形成されており、その内径は、弾発部材５の縮径部８ａが回動自在に嵌合する大きさになっている。なお、板バネ７は、板バネ６を天地を逆にして使用したものである。
【００１２】
板バネ６、７は弾発部材５に取り付けられてから袋体１に収容される。そして、ヒートシーラによって板バネ６、７の外面が袋体１の内面に熱接着される。なお、板バネ６、７は弾発部材５によって袋体２の上端に位置決めされるので、治具を必要とせず、作業性も良い。そして、上述したように、袋体１に被包装物が収容され、袋体１の口部がヒートシールされる。
【００１３】
次に、この包装用袋の使用方法について説明する。
まず、袋体１の上端のヒートシール部３Ａを切り取り、袋体１を開封する。次に、板バネ６、７の両側を指で内方に押圧すると、図４に示すように、板バネ６、７がそれぞれ外方に湾曲して袋体２の口部１ａが開くので、口部１ａに指を入れて被包装物を取り出す。このとき、指が板バネ６、７に触れても、板バネ６、７が合成樹脂製であるため、指を怪我する恐れが少ない。また、板バネ６、７は錆びないため、衛生的にも好ましい。被包装物の取り出しが終わって押圧力を解除すると、板バネ６、７の弾発性と弾発部材５の平行部８、８の弾発性によって板バネ６、７が元の状態に戻り、袋体２の口部が閉じる。
【００１４】
【発明の効果】
以上説明したように、本発明の包装用袋は、口部を片手で容易に開閉することができる。また、板バネは弾発部材によって袋体の上端に位置決めされるので、治具を必要とせず、作業性も良い。
【００１５】
なお、板バネの縦断面形状を外方に突出した円弧状にすると、板バネの両端を押圧したときに板バネが外方に湾曲しやすくなるので、より開閉し易くなる。
【図面の簡単な説明】
【図１】  本発明の一実施形態である包装用袋の一部破断斜視図。
【図２】  口部開閉手段の分解斜視図。
【図３】  図２のＡ−Ａ線矢視図。
【図４】  図１の包装用袋の使用方法を示す斜視図。
【符号の説明】
１  袋体
２  口部開閉手段
５  弾発部材
６、７  板バネ
８  平行部
【図１】
0003761244.tif 000002
【図２】
0003761244.tif 000003
【図３】
0003761244.tif 000004
【図４】
0003761244.tif 000005